(57)【要約】【課題】広告や商品に印刷される識別コードを変更することなく、識別コードが示す情報によってアクセスする情報を変更することができる情報処理方法を提供すること。【解決手段】情報処理方法は、端末が、媒体の情報を識別する識別コードに含まれる第１のアドレス情報の示すサーバーにアクセスする第１ステップと、サーバーが、識別コードに対応付けられた第２のアドレス情報に基づいて前記媒体の情報を前記端末に対して出力させる第２ステップと、を有することを特徴とする。【選択図】図２
2016071491.tif 000002
【特許請求の範囲】
【請求項１】
端末が、媒体の情報を識別する識別コードに含まれる第１のアドレス情報の示すサーバーにアクセスする第１ステップと、
前記サーバーが、前記識別コードに対応付けられた第２のアドレス情報に基づいて前記媒体の情報を前記端末に対して出力させる第２ステップと、
を有することを特徴とする情報処理方法。
【請求項２】
請求項１に記載の情報処理方法であって、
前記識別コードを選択する操作を受け付け、
受け付けられた前記操作に基づいて前記第２のアドレス情報を更新する画面を生成する、
情報処理方法。
【請求項３】
コンピューターに、
端末が、媒体の情報を識別する識別コードに含まれる第１のアドレス情報の示すサーバーにアクセスする第１ステップと、
前記サーバーが、前記識別コードに対応付けられた第２のアドレス情報に基づいて前記媒体の情報を前記端末に対して出力させる第２ステップと、
を実行させるプログラム。
【発明の詳細な説明】
【技術分野】
【０００１】
この発明は、情報処理方法、及びプログラムに関する。
【背景技術】
【０００２】
携帯電話端末や多機能携帯電話端末（スマートフォン）等の情報処理装置によってウェブサイトを閲覧する技術が普及している。
【０００３】
これに関し、広告や商品にＵＲＬ（Uniform  Resource  Locator）や商品番号を特定することができるバーコード（以下で説明する実施形態における識別コードの一例）を表示し、ユーザーはかかるバーコードをデジタルカメラ等で撮影して認識し、入力操作の手間を軽減する発明が利用されるようになっている（特許文献１参照）。
【先行技術文献】
【特許文献】
【０００４】
【特許文献１】特開２００２−３１４７０１号公報
【発明の概要】
【発明が解決しようとする課題】
【０００５】
しかしながら、従来のバーコードが設けられた広告や商品は、一旦印刷されてしまった場合、印刷されたバーコードが示すＵＲＬを変更することができない。例えば、バーコードが広告や商品に設けられたバーコードが示すＵＲＬによってアクセスする情報を変更する場合等、バーコードが設けられた広告や商品、もしくはバーコード自体を作り直さなければならず、手間と金銭的なコストが掛かるという問題があった。
【０００６】
そこで本発明は、上記従来技術の問題に鑑みてなされたものであり、広告や商品に印刷される識別コードを変更することなく、識別コードが示す情報によってアクセスする情報を変更することができる情報処理方法、及びプログラムを提供する。
【課題を解決するための手段】
【０００７】
本発明の一態様は、  端末が、媒体の情報を識別する識別コードに含まれる第１のアドレス情報の示すサーバーにアクセスする第１ステップと、前記サーバーが、前記識別コードに対応付けられた第２のアドレス情報に基づいて前記媒体の情報を前記端末に対して出力させる第２ステップと、を有することを特徴とする情報処理方法である。
【０００８】
また、本発明の他の態様は、上記に記載の情報処理方法であって、前記識別コードを選択する操作を受け付け、受け付けられた前記操作に基づいて前記第２のアドレス情報を更新する画面を生成する、情報処理方法である。
【０００９】
また、本発明の他の態様は、コンピューターに、  端末が、媒体の情報を識別する識別コードに含まれる第１のアドレス情報の示すサーバーにアクセスする第１ステップと、前記サーバーが、前記識別コードに対応付けられた第２のアドレス情報に基づいて前記媒体の情報を前記端末に対して出力させる第２ステップと、を実行させるプログラムである。
【発明の効果】
【００１０】
本発明によれば、広告や商品に印刷される識別コードを変更することなく、識別コードが示す情報によってアクセスする情報を変更することができる情報処理方法、及びプログラムを提供することができる。
【図面の簡単な説明】
【００１１】
【図１】実施形態に係る情報処理システム１の一例を示す構成図である。
【図２】情報処理サーバー４の機能構成の一例を示す図である。
【図３】制御部４３が行うリダイレクト情報の更新に係る処理の流れの一例を示すフローチャートである。
【図４】情報処理装置３のディスプレイに表示される広告媒体の編集画面及び入力画面の一例を示す図である。
【図５】リダイレクト情報の一例を示す図である。
【発明を実施するための形態】
【００１２】
＜実施形態＞
以下、本発明の実施形態について、図面を参照して説明する。図１は、実施形態に係る情報処理システム１の一例を示す構成図である。情報処理システム１は、情報提供サーバー２と、情報処理装置３と、情報処理サーバー４と、リダイレクトサーバー５と、情報処理端末６を具備する。情報処理システム１が具備するこれらの装置やサーバーは、互いにネットワークＷを介して通信可能に接続されている。
【００１３】
ネットワークＷは、この一例において、インターネットや移動体通信網等のネットワークである。なお、ネットワークＷは、これらに限られるものではなく、イントラネットや専用回線等でもよく、それらの組み合わせによって構成される情報通信ネットワークでもよい。また、以下では、ある情報のネットワークＷ上における所在を示す情報がＵＲＬである場合について説明するが、これに代えて、ある情報のネットワークＷ上における所在を示す情報がＩＰアドレス等であってもよい。
【００１４】
まず、本実施形態の情報処理システム１が具備する各装置やサーバーについて説明する前に、情報処理システム１の概要について説明する。本実施形態において、情報処理システム１は、ユーザーから受け付けられた操作に基づいて広告媒体を作成する。広告媒体とは、商品や役務の認知度を上昇させることや、販売数を増加させることを目的として作成される媒体である。
【００１５】
この一例において、広告媒体は、チラシやショップカード、ポスター、名刺等の印刷媒体である。広告媒体は、これらに限られず、情報処理装置３等の電子媒体で表示可能な電子データ等であってもよい。なお、情報処理システム１は、広告媒体に代えて、広告とは無関係な印刷媒体や、上記の電子データ等であってもよい。
【００１６】
また、情報処理システム１により生成される広告媒体は、識別コードが設けられている。この識別コードは、広告媒体毎のリダイレクト情報のＵＲＬを含む。リダイレクト情報とは、広告媒体を識別する情報と、広告媒体を見た人にアクセスさせたい所望の情報のＵＲＬとが対応付けられた情報である。以下では、広告媒体を見た人にアクセスさせたい所望の情報が、動画像である場合について説明する。なお、リダイレクト情報は、リダイレクトサーバー５に格納された情報である。また、リダイレクト情報は、第１のアドレス情報の一例である。
【００１７】
ここで、識別コードとは、機械により読み取り可能な文字列や記号、模様等の配列によって各種の情報（この一例において、第１所在情報）を表すものである。例えば、識別コードは、識別ＩＤやバーコード、カラービット（登録商標）等の一次元コードや、ＱＲ（登録商標）コード等の二次元コード等である。なお、識別コードは、これらに限られず、他の各種の情報を表すことが可能なコードであれば如何なるものでもよい。以下では、説明の便宜上、広告媒体に設けられた識別コードを、単に識別コードと称して説明する場合がある。
【００１８】
情報処理システム１において、例えば、情報処理端末６が識別コードを読み取った場合、情報処理端末６は、ある広告媒体Ｚに設けられた識別コードに含まれるリダイレクト情報のＵＲＬに基づいてリダイレクトサーバー５に格納されたリダイレクト情報にアクセスする。このアクセスの際、情報処理端末６は、リダイレクトサーバー５に対してリダイレクト情報のＵＲＬに含まれる広告媒体Ｚを識別する情報を出力（送信）する。
【００１９】
ここで、本実施形態において、ＵＲＬに基づいてある情報にアクセスするとは、ＵＲＬが示す情報が格納されたネットワークＷ上の所在から当該情報を読み込むことを示す。また、以下では、識別コードに含まれるある情報のＵＲＬを、識別コードのＵＲＬと称して説明する。また、動画像のＵＲＬは、第２のアドレス情報の一例である。
【００２０】
情報処理端末６が識別コードのＵＲＬに基づいてリダイレクトサーバー５のリダイレクト情報にアクセスした後、リダイレクトサーバー５は、リダイレクト情報に含まれる広告媒体Ｚを識別する情報に対応付けられた動画像のＵＲＬを示す情報を情報処理端末６に出力（送信）し、情報処理端末６に当該動画像へリダイレクトさせる。情報処理端末６は、リダイレクトサーバー５から動画像のＵＲＬを示す情報と、当該動画像へのリダイレクトの要求を取得すると、当該動画像へリダイレクトし、当該動画像を表示（出力）する。
【００２１】
ここで、リダイレクトとは、情報処理端末６が識別コードのＵＲＬに基づいてリダイレクトサーバー５のリダイレクト情報へアクセスした場合、リダイレクト情報のＵＲＬに含まれる広告媒体を識別する情報に対応付けられたある情報ＶのＵＲＬをリダイレクトサーバー５が情報処理端末６に送信し、ある情報Ｖへアクセスし直させることを示す。
【００２２】
なお、本実施形態において、情報処理システム１は、動画像が情報提供サーバー２に格納され、上述したようにリダイレクトサーバー５が情報処理端末６にリダイレクトさせる構成であるとしたが、これに代えて、情報提供サーバー２とリダイレクトサーバー５が一体のフォワードサーバーとして構成され、情報処理端末６からの識別コードのＵＲＬに基づくリダイレクト情報へアクセスへの応答として、リダイレクト情報のＵＲＬに含まれる広告媒体を識別する情報に対応付けられたある情報Ｖを情報処理端末６に出力（送信）する構成であってもよい。
【００２３】
また、情報処理システム１において、情報処理装置３は、ユーザーから受け付けられた操作に基づいて広告媒体毎のリダイレクト情報を更新する。この広告媒体毎のリダイレクト情報の更新とは、広告媒体毎のリダイレクト情報において、広告媒体を識別する情報と対応付けられた動画像のＵＲＬを上書き、追加、削除することを示すが、これら以外の他の変更を示してもよい。
【００２４】
この更新により、情報処理システム１は、広告媒体（又は広告媒体に設けられた識別コード）を作り直すことなく、識別コードが間接的に示す動画像のＵＲＬを変更することができる。その結果、情報処理システム１は、広告媒体を見る人に広告媒体に設けられた識別コードによってアクセスさせたい動画像が変更される度に、広告媒体（又は広告媒体に設けられた識別コード）を作り直す手間やコストを抑制することができる。以下では、情報処理システム１による広告媒体毎のリダイレクト情報の更新について詳しく説明する。なお、以下では、説明の便宜上、広告媒体毎のリダイレクト情報を、単にリダイレクト情報と称して説明する。
【００２５】
以下、情報処理システム１が具備するそれぞれの装置及びサーバーについて説明する。
情報提供サーバー２は、ウェブサイトを提供するサーバーである。以下では、情報提供サーバー２が提供するウェブサイトを情報提供サイトと称して説明する。この情報提供サイトは、情報提供サーバー２の記憶領域へ各種の情報を格納（アップロード）する機能を有する。この一例において、情報提供サイトは、情報提供サーバー２の記憶領域へ動画像を格納する機能を有する場合について説明する。また、この情報提供サイトは、情報提供サーバー２にアップロードされている動画像を表示（再生）する機能を有する。動画像の表示（再生）とは、例えば、ストリーミングを示す。
【００２６】
すなわち、情報提供サーバー２は、情報提供サイトを介して情報処理装置３から取得された動画像を格納する。動画像を格納した後、情報提供サーバー２は、情報処理装置３へ動画像のＵＲＬを示す情報を出力する。また、情報提供サーバー２は、情報提供サイトを介した情報処理装置３からの要求に基づいて、情報処理装置３へ動画像を出力（ストリーミング）する。また、情報提供サーバー２は、リダイレクトサーバー５がリダイレクト情報に基づいて情報処理端末６にリダイレクトさせたことによる情報処理端末６からのアクセスに応じて、情報処理端末６へ動画像を送信する。
【００２７】
情報処理装置３は、この一例において、ノートＰＣ（Personal  Computer）である。情報処理装置３は、これに限られず、デスクトップＰＣやタブレットＰＣ、多機能携帯電話端末、携帯電話端末、電子書籍リーダー、ＰＤＡ（Personal  Digital  Assistant）等であってもよい。本実施形態において、情報処理装置３は、ユーザーＣ１の所有物である場合について説明する。すなわち、情報処理装置３は、ユーザーＣ１によって操作される。ユーザーＣ１は、情報処理サーバー４及びリダイレクトサーバー５（又は情報処理サーバー４のみ）を運用する会社の顧客（得意先）である。以下では、ユーザーＣ１を得意先Ｃ１と称して説明する。また、以下では、情報処理サーバー４及びリダイレクトサーバー５（又は情報処理サーバー４のみ）を運用する会社を、当社と称して説明する。
【００２８】
情報処理装置３は、得意先Ｃ１から受け付けられた操作に基づいて情報提供サイトにアクセスする。また、情報処理装置３は、得意先Ｃ１から受け付けられた操作に基づいて情報提供サーバー２に動画像をアップロードする。このアップロードの際、情報処理装置３は、情報提供サイトを介して動画像を情報提供サーバー２にアップロードする。この動画像のアップロードに成功した後、情報処理装置３は、情報提供サーバー２からアップロードした動画像のＵＲＬを示す情報を取得する。
【００２９】
また、情報処理装置３は、得意先Ｃ１から受け付けられた操作に基づいて情報処理サーバー４が提供するウェブサイトにアクセスする。以下では、説明の便宜上、情報処理サーバー４が提供するウェブサイトを広告媒体作成サイトと称して説明する。この広告媒体作成サイトは、識別コードが設けられた広告媒体を作成及び編集する機能を有する。また、この広告媒体作成サイトは、リダイレクトサーバー５に格納されたリダイレクト情報を更新する機能を有する。広告媒体作成サイトのこれらの機能は、ＧＵＩ（Graphical  User  Interface）によって実現される。
【００３０】
情報処理装置３は、得意先Ｃ１から受け付けられた操作に基づいて広告媒体作成サイトを介して広告媒体を作成及び編集する。この広告媒体の作成及び編集の際、情報処理装置３は、広告媒体に識別コードを設ける。なお、この広告媒体の作成及び編集には、作成及び編集された広告媒体の印刷及び配送等の発注も含まれる。また、情報処理装置３は、得意先Ｃ１から受け付けられた操作に基づいて広告媒体作成サイトを介してリダイレクト情報を更新する。
【００３１】
情報処理サーバー４は、広告媒体作成サイトを提供するサーバーである。情報処理サーバー４は、広告媒体作成サイトを介して情報処理装置３から受け付けられた操作に基づいて識別コードが設けられた広告媒体を生成及び編集する。また、情報処理サーバー４は、広告媒体作成サイトを介して情報処理装置３から受け付けられた操作に基づいてリダイレクトサーバー５にリダイレクト情報を更新させる。
【００３２】
より具体的には、情報処理サーバー４は、広告媒体作成サイトを介して情報処理装置３から受け付けられた識別コードのＵＲＬに含まれる広告媒体を識別する情報を、動画像のＵＲＬを示す情報と対応付けた対応情報を生成する。そして、情報処理サーバー４は、生成された対応情報をリダイレクトサーバー５に送信し、リダイレクト情報を更新するように要求する。
【００３３】
リダイレクトサーバー５は、情報処理サーバー４からの要求に応じて、リダイレクト情報を更新する。このリダイレクト情報の更新の際、リダイレクトサーバー５は、識別コードのＵＲＬに含まれる広告媒体を識別する情報と、動画像のＵＲＬを示す情報とが対応付けられた対応情報と、リダイレクト情報を更新する要求とを情報処理サーバー４から取得する。すなわち、リダイレクトサーバー５は、情報処理サーバー４からの要求に応じて、識別コードのＵＲＬに含まれる広告媒体を識別する情報と、動画像のＵＲＬを示す情報とが対応付けられた対応情報に基づいてリダイレクト情報を更新する。
【００３４】
また、リダイレクトサーバー５は、ある広告媒体に設けられた識別コードのＵＲＬに基づいて情報処理端末６からリダイレクト情報へアクセスされた場合、情報処理端末６から識別コードのＵＲＬに含まれる広告媒体を識別する情報を取得する。リダイレクトサーバー５は、取得された広告媒体を識別する情報に対応付けられた動画像のＵＲＬをリダイレクト情報から読み込む。そして、リダイレクトサーバー５は、読み込まれた動画像のＵＲＬを示す情報を情報処理端末６に出力し、情報処理端末６に当該動画像へリダイレクトさせる。なお、リダイレクトサーバー５が有する機能の一部又は全部は、情報処理サーバー４が有する構成であってもよい。また、リダイレクトサーバー５は、サーバーの一例である。
【００３５】
情報処理端末６は、この一例において、タブレットＰＣや多機能携帯電話端末、携帯電話端末である。なお、情報処理端末６は、これらに限られず、識別コードを読み取ることが可能な電子書籍リーダーやＰＤＡ（Personal  Digital  Assistant）、ノートＰＣ、デスクトップＰＣ等であってもよい。本実施形態において、情報処理端末６は、ユーザーＣ２の所有物である場合について説明する。
【００３６】
情報処理端末６は、ユーザーＣ２によって操作される。ユーザーＣ２は、得意先Ｃ１（又は得意先Ｃ１が所属する会社）の顧客である。ユーザーＣ２は、情報処理端末６によって得意先Ｃ１が作成した識別コードが設けられた広告媒体Ｍから識別コードのＵＲＬを読み取り、その結果、当該識別コードが間接的に示す動画像を情報処理端末６によって視聴する。以下では、ユーザーＣ２を顧客Ｃ２と称して説明する。
【００３７】
情報処理端末６は、顧客Ｃ２から受け付けられた操作に基づいて広告媒体Ｍに設けられた識別コードのＵＲＬを読み取る。識別コードのＵＲＬを読み取った後、情報処理端末６は、そのＵＲＬに基づいてリダイレクトサーバー５のリダイレクト情報にアクセスする。このアクセスの際、情報処理端末６は、読み取られた識別コードのＵＲＬに含まれる広告媒体を識別する情報をリダイレクトサーバー５に出力する。
【００３８】
情報処理端末６は、広告媒体を識別する情報を取得した応答としてリダイレクトサーバー５から出力された動画像を示すＵＲＬと、当該動画像へのリダイレクトの要求とを取得する。そして、情報処理端末６は、取得されたリダイレクトの要求に応じて、取得された動画像のＵＲＬに基づき、当該動画像へアクセスし直す。なお、この動画像は、情報提供サーバー２に格納された動画像である。情報処理端末６は、動画像へアクセスし直した後、当該動画像を表示（出力、再生）する。なお、情報処理端末６は、端末の一例である。
【００３９】
次に、図２を参照することで、情報処理サーバー４の機能構成について説明する。図２は、情報処理サーバー４の機能構成の一例を示す図である。情報処理サーバー４は、記憶部４１と、通信部４２と、制御部４３を備える。
【００４０】
記憶部４１は、例えば、ＨＤＤ（Hard  Disk  Drive）やＳＳＤ（Solid  State  Drive）、ＥＥＰＲＯＭ（Electrically  Erasable  Programmable  Read−Only  Memory）、ＲＯＭ（Read−Only  Memory）、ＲＡＭ（Random  Access  Memory）などを含み、情報処理サーバー４が処理する各種情報や画像、プログラムを格納する。なお、記憶部４１は、情報処理サーバー４に内蔵されるものに代えて、ＵＳＢ等のデジタル入出力ポート等によって接続された外付け型の記憶装置でもよい。
通信部４２は、例えば、ＵＳＢ等のデジタル入出力ポートやイーサネットポート等を含んで構成される。
【００４１】
制御部４３は、画面生成部４４と、広告生成部４５と、入力情報取得部４６と、対応情報生成部４７と、通信制御部４８を備える。情報処理サーバー４の制御部４３が備える機能部のうち一部又は全部は、例えば、図示しないＣＰＵが、記憶部４１に記憶された各種プログラムを実行することで実現される。また、これらの機能部のうち一部または全部は、ＬＳＩ（Large  Scale  Integration）やＡＳＩＣ（Application  Specific  Integrated  Circuit）等のハードウェア機能部であってもよい。
【００４２】
画面生成部４４は、通信部４２を介して情報処理装置３から取得された要求に応じて、広告媒体生成サイトに係る各種の画面（ＧＵＩ）を生成する。また、画面生成部４４は、通信部４２を介して受け付けられた情報処理装置３からの操作に応じて、リダイレクト情報を更新するための情報を入力する入力画面（ＧＵＩ）を生成する。リダイレクト情報を更新するための情報とは、広告媒体を識別する情報に対応付けたい動画像のＵＲＬ（又は動画像のＵＲＬを示す情報）と、その動画像へのリダイレクトを行う有効期間を示す情報である。入力画面については、後述する。画面生成部４４は、この入力画面を生成する際、得意先Ｃ１から受け付けられた操作に基づいて情報処理装置３により広告媒体に設けられた識別コードを選択（クリック）された場合、この入力画面を生成する。
【００４３】
広告生成部４５は、通信部４２を介して受け付けられた情報処理装置３からの操作に応じて識別コードが設けられた広告媒体を生成及び編集する。識別コードは、例えば、リダイレクトサーバー５のドメインと、広告媒体を識別する情報とによって構成されたＵＲＬを示す。なお、広告媒体を識別する情報は、リダイレクトサーバー５内のリダイレクト情報の所在を示す。広告媒体を識別する情報は、当社の顧客である得意先を識別する得意先ＩＤと、情報処理サーバー４により作成される広告媒体を識別する広告媒体ＩＤと、識別コードを識別するための識別コードＩＤとを含む。
【００４４】
例えば、リダイレクトサーバー５のドメインがｈｔｔｐ：／／ｘｘｘ．ｎｅ．ｊｐであり、広告媒体を識別する情報が０００Ａ＿０００１＿００１であった場合、識別コードのＵＲＬは、ｈｔｔｐ：／／ｘｘｘ．ｎｅ．ｊｐ／０００Ａ＿０００１＿００１となる。この場合、０００Ａが得意先ＩＤであり、０００１が広告媒体ＩＤであり、００１が識別コードＩＤである。なお、このＵＲＬにおいて、得意先ＩＤと、広告媒体ＩＤと、識別コードＩＤとがアンダーバーで繋げられているが、これはあくまで一例であり、他の表記によってＵＲＬを表してもよい。また、識別コードＩＤは、広告媒体に複数の識別コードが存在する場合に、識別コードの各々を識別する識別情報である。
【００４５】
入力情報取得部４６は、画面生成部４４により生成された入力画面を介して情報処理装置３から入力された入力情報を、通信部４２を介して情報処理装置３から取得する。この情報処理装置３から入力された入力情報とは、広告媒体を見た人にアクセスさせたい動画像のＵＲＬ（又は動画像のＵＲＬを示す情報）と、リダイレクトサーバー５が情報処理端末６に当該動画像へリダイレクトさせる有効期間を示す情報を含む。
【００４６】
対応情報生成部４７は、入力情報取得部４６により取得された広告媒体を見た人にアクセスさせたい動画像のＵＲＬ（又は動画像のＵＲＬを示す情報）と、リダイレクトサーバー５が情報処理端末６に当該動画像へリダイレクトさせる有効期間を示す情報と、編集中の広告媒体を識別する情報とを対応付けた対応情報を生成する。
【００４７】
通信制御部４８は、画面生成部４４により生成された画面（ＧＵＩ）を情報処理装置３に送信するように通信部４２を制御する。また、通信制御部４８は、広告生成部４５により識別コードが設けられた広告媒体が生成された際、識別コードに係る情報を情報処理装置３に送信するように通信部４２を制御する。識別コードに係る情報とは、広告媒体を識別する情報と、リダイレクトサーバー５のドメインを示す情報と、識別コードのＵＲＬを示す情報とを含む。
【００４８】
以下、図３を参照して、制御部４３が行うリダイレクト情報の更新に係る処理について説明する。図３は、制御部４３が行うリダイレクト情報の更新に係る処理の流れの一例を示すフローチャートである。以下では、説明の便宜上、リダイレクト情報を更新したい広告媒体の作成（編集）画面（ＧＵＩ）がすでに情報処理装置３に表示されている状態であるとして説明する。
【００４９】
まず、画面生成部４４は、通信部４２を介して情報処理装置３から、広告媒体に設けられた識別コードを選択する選択操作を受け付ける（ステップＳ１００）。次に、画面生成部４４は、リダイレクト情報を更新するための情報を入力する入力画面（ＧＵＩ）を生成する（ステップＳ１１０）。次に、通信制御部４８は、ステップＳ１１０で画面生成部４４により生成された入力画面を示す情報を、情報処理装置３に送信するように通信部４２を制御する（ステップＳ１２０）。これにより、情報処理装置３では、ディスプレイに入力画面が表示される。
【００５０】
ここで、図４を参照して、情報処理装置３のディスプレイに表示される広告媒体の編集画面及び入力画面について説明する。図４は、情報処理装置３のディスプレイに表示される広告媒体の編集画面及び入力画面の一例を示す図である。図４において、画面Ｐは、情報処理装置３のディスプレイに表示された編集画面である。編集画面Ｐ上には、広告媒体Ｐ１が表示されている。その広告媒体Ｐ１には、識別コードＣＤ１が設けられている。例えば、得意先Ｃ１がマウス等によってカーソルＳを移動させ、この識別コードＣＤ１を選択（クリック）すると、図４に示したように入力画面Ｐ２が表示される。この入力画面Ｐ２が表示されるまでの情報処理サーバー４側の処理が、ステップＳ１００からステップＳ１２０までの処理である。
【００５１】
入力画面Ｐ２は、広告媒体Ｐ１を見た人にアクセスさせたい所望の動画像のＵＲＬ（又は動画像のＵＲＬを示す情報）を入力する欄ＥＢ１を含む。また、入力画面Ｐ２は、欄ＥＢ１に入力した動画像のＵＲＬへ、リダイレクトサーバー５が情報処理端末６にリダイレクトさせる有効期間を入力する欄を含む。この一例において、有効期間を入力する欄は、２つに分かれている。その２つのうちの一方は、有効時間帯を示す情報を入力する欄ＥＢ２である。有効時間帯とは、欄ＥＢ１に入力された所望の動画像のＵＲＬへ、リダイレクトサーバー５が情報処理端末６にリダイレクトさせる時間帯を示す。
【００５２】
例えば、１２時から１４時までの時間帯に欄ＥＢ１に入力した所望の動画像のＵＲＬへ、リダイレクトサーバー５が情報処理端末６にリダイレクトさせるように設定したい場合、欄ＥＢ２には、１２：００−１４：００と入力する。なお、この一例において、有効時間帯を指定しない場合は、ｅｌｓｅと入力する構成とするが、これに代えて、空欄にする構成であってもよく、他の構成であってもよい。
【００５３】
また、有効期間を入力する２つの欄うちの他方は、欄ＥＢ２に入力された有効時間帯の繰り返し設定を入力する欄ＥＢ３である。繰り返し設定とは、欄ＥＢ２に入力された有効時間帯におけるリダイレクトを、本日の１回だけに行うのか、毎日行うのか、毎週行うのか等、どのように繰り返しリダイレクトさせるのかを示す情報である。なお、この一例において、欄ＥＢ３は、欄ＥＢ２にｅｌｓｅと入力された場合、入力不可になる構成とするが、これに代えて、他の構成であってもよい。
【００５４】
また、入力画面Ｐ２は、確定ボタンＢを含む。確定ボタンＢをクリックされた場合、情報処理サーバー４は、リダイレクトサーバー５に格納されたリダイレクト情報の更新を行う。なお、この一例において、欄ＥＢ１を空にしたまま確定ボタンＢがクリックされた場合、情報処理サーバー４は、リダイレクトサーバー５に、編集中の広告媒体を識別する情報が含まれるリダイレクト情報をすべて削除させる構成とするが、他の方法によってリダイレクト情報の削除が行われてもよい。
【００５５】
ステップＳ１２０で入力画面を情報処理装置３に送信した後、入力情報取得部４６は、ステップＳ１２０で送信された入力画面を介して得意先Ｃ１により情報処理装置３から入力された入力情報を、通信部４２を介して取得する（ステップＳ１３０）。このステップＳ１３０の処理は、入力画面Ｐ２において、確定ボタンＢが押された後の処理である。次に、対応情報生成部４７は、ステップＳ１３０で取得された入力情報に基づいて、対応情報を生成する（ステップＳ１４０）。
【００５６】
次に、通信制御部４８は、ステップＳ１４０で対応情報生成部４７により生成された対応情報を、リダイレクトサーバー５へ通信部４２により送信するとともに、リダイレクトサーバー５へ対応情報に基づいたリダイレクト情報の更新を要求する（ステップＳ１５０）。より具体的には、リダイレクトサーバー５は、取得された対応情報に含まれる広告媒体を識別する情報が含まれるリダイレクト情報が無い場合、対応情報に基づいてリダイレクト情報を生成する。
【００５７】
ここで、図５を参照して、リダイレクトサーバー５に格納されているリダイレクト情報について説明する。例えば、リダイレクトサーバー５は、リダイレクト情報を図５に示したようなリダイレクト情報テーブルとして格納する。図５は、リダイレクト情報テーブルの一例を示す図である。図５に示したように、リダイレクト情報テーブルには、広告媒体を識別する情報と、動画像のＵＲＬと、当該動画像のＵＲＬへリダイレクトサーバー５が情報処理端末６にリダイレクトさせる有効期間とが対応付けられて格納される。
【００５８】
また、リダイレクトサーバー５は、例えば、取得された対応情報に含まれる広告媒体を識別する情報が含まれるレコードがリダイレクト情報テーブルにある場合、且つそのレコードに含まれる有効期間が対応情報に含まれる有効期間と同じである場合、そのレコードを対応情報に含まれる情報に上書きする。また、リダイレクトサーバー５は、例えば、取得された対応情報に含まれる広告媒体を識別する情報が含まれるレコードがリダイレクト情報テーブルにある場合、且つそのレコードに含まれる有効期間が対応情報に含まれる有効期間と異なる場合、そのレコードを対応情報に含まれる情報を追加する。なお、これらのリダイレクト情報テーブルのレコードの生成や追加は、一例に過ぎず、他の方法によって行われてもよい。
【００５９】
このように、ステップＳ１００からステップＳ１５０までの処理により、情報処理サーバー４は、得意先Ｃ１から受け付けられた操作に基づく情報処理装置３からの要求や、情報処理装置３から取得された入力情報に基づいて、リダイレクトサーバー５のリダイレクト情報を更新する。これにより、情報処理サーバー４は、広告媒体や識別コードを変更することなしに、広告媒体を見た人にアクセスさせたい動画像を変更することができる。なお、この一例において、リダイレクトサーバー５によるリダイレクト先は、動画像であるとしたが、これに限られず、静止画像であってもよく、音声情報等、他の情報であってもよい。
【００６０】
また、情報処理サーバー４は、リダイレクト情報の更新を、例えば、更新前の動画像のＵＲＬと、更新後の動画像のＵＲＬとが、関連情報によって対応付けられたものに対してリダイレクトサーバー５に行わせる構成であってもよい。例えば、広告媒体があるレストランＸのメニューであり、そのメニューに連動する動画像が季節のメニューに係る動画像であった場合、季節毎に更新される動画像は、レストランＸのメニューを示す情報（例えば、レストランＸを示すＩＤ等）によって対応付けられるような。このようにすることで、情報処理サーバー４は、誤って無関係な動画像を広告媒体と連動させてしまうことを抑制することができる。
【００６１】
ここから、このようにリダイレクト情報が更新された情報処理システム１において、情報処理端末６がどのようにして広告媒体に設けられた識別コードに基づいて情報提供サーバー２に格納された動画像へアクセスするかについて説明する。
【００６２】
以下、情報処理システム１において、情報処理端末６が広告媒体に設けられた識別コードからリダイレクト情報のＵＲＬを読み取った場合について説明する。情報処理端末６は、読み取られたリダイレクト情報のＵＲＬに基づいて、リダイレクト情報にアクセスする。このアクセスの際、情報処理端末６は、リダイレクト情報のＵＲＬに含まれる広告媒体を識別する情報をリダイレクトサーバー５に送信する。なお、情報処理端末６は、このアクセスの際、リダイレクト情報のＵＲＬを示す情報等、広告媒体を識別する情報を含む他の情報をリダイレクトサーバー５に送信する構成であってもよい。
【００６３】
リダイレクトサーバー５は、情報処理端末６から広告媒体を識別する情報を取得すると、取得された広告媒体を識別する情報に対応付けられた動画像のＵＲＬを、自装置に格納されたリダイレクト情報から読み取る。この読み取りの際、リダイレクトサーバー５は、リダイレクト情報に含まれる有効期間を示す情報に基づいて、現在の時刻が当該有効期間内である情報であって取得された広告媒体を識別する情報に対応付けられた動画像のＵＲＬをリダイレクト情報から読み取る。
【００６４】
リダイレクトサーバー５は、読み取られた動画像のＵＲＬを示す情報と、当該動画像へのリダイレクトの要求とを情報処理端末６に出力し、情報処理端末６に当該動画像へリダイレクトさせる。また、リダイレクトサーバー５は、取得された広告媒体を識別する情報に基づいて、当該広告媒体からのリダイレクト先の動画像へのアクセス数の履歴を収集する。情報処理システム１は、この収集された履歴に基づいて、例えば、どのような広告媒体が販売促進等に対して効果的であるかを解析することができる。
【００６５】
このように、情報処理システム１は、広告媒体に設けられた識別コードに基づいて、情報処理端末６に動画像へアクセスさせることができる。また、上記で説明したように、そのアクセス先の動画像は、情報処理装置３及び情報処理サーバー４によって更新することができる。
【００６６】
以上説明したように、本実施形態における情報処理システム１では、情報処理端末６が、広告媒体に設けられた識別コードに含まれるリダイレクト情報のＵＲＬが示すリダイレクトサーバー５にアクセスし、リダイレクトサーバー５が、識別コードに対応付けられた動画像のＵＲＬに基づいて広告媒体の情報を情報処理端末６に対して出力させる。これにより、情報処理システム１は、広告や商品に印刷される識別コードを変更することなく、識別コードが示す情報によってアクセスする情報を変更することができる。
【００６７】
以上、この発明の実施形態を、図面を参照して詳述してきたが、具体的な構成はこの実施形態に限られるものではなく、この発明の要旨を逸脱しない限り、変更、置換、削除等されてもよい。
【００６８】
また、以上に説明した装置（例えば、情報処理サーバー４、リダイレクトサーバー５）における任意の構成部の機能を実現するためのプログラムを、コンピューター読み取り可能な記録媒体に記録し、そのプログラムをコンピューターシステムに読み込ませて実行するようにしてもよい。なお、ここでいう「コンピューターシステム」とは、ＯＳ（Ｏｐｅｒａｔｉｎｇ  Ｓｙｓｔｅｍ）や周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
【００６９】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【００７０】
１  情報処理システム、２  情報提供サーバー、３  情報処理装置、４  情報処理サーバー、５  リダイレクトサーバー、６  情報処理端末、４１  記憶部、４２  通信部、４３  制御部、４４  画面生成部、４５  広告生成部、４６  入力情報取得部、４７  対応情報生成部、４８  通信制御部
【図１】
2016071491.tif 000003
【図２】
2016071491.tif 000004
【図３】
2016071491.tif 000005
【図４】
2016071491.tif 000006
【図５】
2016071491.tif 000007